(57)【要約】【課題】不正に剥した場合には、不正開封防止用切断線２５をきっかけに破れてその痕跡が残るとともに、封止用シールとしての役割を終えたのちに正規の使用者が剥す場合には、きれいにこれを剥すことができる封止用シール、これを用いた封止方法、および封止用シールで封止した容器を提供すること。【解決手段】シール基材２を第１の分割領域２６と第２の分割領域２７とに分割可能な分割用切断線２４の反対側にそれぞれ不正開封防止用切断線２５を形成することに着目し、シール基材２を少なくとも第１の分割領域２６および第２の分割領域２７に分割可能な分割用切断線２４と、第１の分割領域２６および第２の分割領域２７において、不正開封方向にはシール基材２を破くようにするとともに、適正開封方向にはシール基材２を破かないようにする不正開封防止用切断線２５と、を形成したことを特徴とする。【選択図】　　　　図１
2004085614.tif 000002
【特許請求の範囲】
【請求項１】
シール基材と、
このシール基材の裏面に形成した粘着剤層と、を有する封止用シールであって、
前記シール基材を少なくとも第１の分割領域および第２の分割領域に分割可能な分割用切断線と、
これら第１の分割領域および第２の分割領域において、不正開封方向には前記シール基材を破くようにするとともに、適正開封方向には前記シール基材を破かないようにする不正開封防止用切断線と、
を形成したことを特徴とする封止用シール。
【請求項２】
シール基材と、
このシール基材の裏面に形成した粘着剤層と、を有する封止用シールであって、
前記シール基材を少なくとも第１の分割領域および第２の分割領域に分割可能な分割用切断線と、
これら第１の分割領域および第２の分割領域において、この分割用切断線からそれぞれの側端部に向かってその間の間隔が漸減して互いに交わるように形成した少なくとも一対の切込み線から構成した不正開封防止用切断線と、
を形成したことを特徴とする封止用シール。
【請求項３】
前記分割用切断線は、前記第１の分割領域および前記第２の分割領域を同等の大きさに分割可能であることを特徴とする請求項１あるいは２記載の封止用シール。
【請求項４】
前記分割用切断線を、封止対象物の封止線に沿って位置させ貼り付けるようにしてあることを特徴とする請求項１あるいは２記載の封止用シール。
【請求項５】
シール基材と、
このシール基材の裏面に形成した粘着剤層と、を有する封止用シールを用いた封止方法であって、
前記シール基材を少なくとも第１の分割領域および第２の分割領域に分割可能な分割用切断線と、
これら第１の分割領域および第２の分割領域において、不正開封方向には前記シール基材を破くようにするとともに、適正開封方向には前記シール基材を破かないようにする不正開封防止用切断線と、
を形成し、
前記分割用切断線を、封止対象物の封止線に沿って位置させて貼り付けるようにすることを特徴とする封止用シールを用いた封止方法。
【請求項６】
シール基材と、
このシール基材の裏面に形成した粘着剤層と、を有する封止用シールを用いた封止方法であって、
前記シール基材を少なくとも第１の分割領域および第２の分割領域に分割可能な分割用切断線と、
これら第１の分割領域および第２の分割領域において、この分割用切断線からそれぞれの側端部に向かってその間の間隔が漸減して互いに交わるように形成した少なくとも一対の切込み線から構成した不正開封防止用切断線と、
を形成し、
前記分割用切断線を、封止対象物の封止線に沿って位置させて貼り付けるようにすることを特徴とする封止用シールを用いた封止方法。
【請求項７】
前記分割用切断線は、前記封止対象物の前記封止線に沿ってこれを切断することにより、前記シール基材を前記第１の分割領域および前記第２の分割領域に分割可能であることを特徴とする請求項５あるいは６記載の封止用シールを用いた封止方法。
【請求項８】
シール基材と、
このシール基材の裏面に形成した粘着剤層と、を有する封止用シールで封止した容器であって、
前記シール基材を少なくとも第１の分割領域および第２の分割領域に分割可能な分割用切断線と、
これら第１の分割領域および第２の分割領域において、不正開封方向には前記シール基材を破くようにするとともに、適正開封方向には前記シール基材を破かないようにする不正開封防止用切断線と、
を形成し、
前記分割用切断線を、当該容器の封止線に沿って位置させて貼り付けたことを特徴とする封止用シールで封止した容器。
【請求項９】
シール基材と、
このシール基材の裏面に形成した粘着剤層と、を有する封止用シールで封止した容器であって、
前記シール基材を少なくとも第１の分割領域および第２の分割領域に分割可能な分割用切断線と、
これら第１の分割領域および第２の分割領域において、この分割用切断線からそれぞれの側端部に向かってその間の間隔が漸減して互いに交わるように形成した少なくとも一対の切込み線から構成した不正開封防止用切断線と、
を形成し、
前記分割用切断線を、当該容器の封止線に沿って位置させて貼り付けたことを特徴とする封止用シールで封止した容器。
【発明の詳細な説明】
【０００１】
【発明の属する技術分野】
本発明は封止用シール、これを用いた封止方法、および封止用シールで封止した容器にかかるもので、とくに通い函その他の容器の封止に用いて好適な封止用シール、これを用いた封止方法、および封止用シールで封止した容器に関するものである。
【０００２】
【従来の技術】
従来から不正貼替え防止用シールな封止用シールなどのシールには、不正貼替え防止機能、あるいは開封した痕跡を残すなどの機能が求められている。
たとえば、特開平７−１４６６５１号、特開２００１−３０５９６４、特開２００２−１４６１９などがある。
【０００３】
一般的な不正貼替え防止用シールについて図１０ないし図１２にもとづき概説する。
図１０は、従来からの不正貼替え防止用シール１の平面図、図１１は、同、剥し時の斜視図であって、不正貼替え防止用シール１は、シール基材２と、このシール基材２の裏面に形成した粘着剤層３と、を有し、シール基材２に広告文字４（たとえば「半額」など）を印刷してあるとともに、不正貼替え防止用切断線５（タンパープルーフカット）を形成してある。
【０００４】
こうした構成の不正貼替え防止用シール１においては、図１１に示すように、不正貼替え防止用シール１を剥す際に不正貼替え防止用切断線５をきっかけにして不正貼替え防止用シール１が破れてしまって不正貼り替え行為を防止可能である。
この不正貼替え防止用シール１を封止用シールとして用いれば、剥したときに破れて、もと通りに貼ることができず、容器その他の封止対象物を開封したこと、あるいは開封しようとしたことがわかる。
【０００５】
図１２は、食材の宅配サービスに用いる通い函１０に封止用シール１１を使用した場合の斜視図である。
封止用シール１１は、基本的には不正貼替え防止用シール１と同様の構成を有する。すなわち、そのシール基材２の裏面に粘着剤層３を有するとともに、不正貼替え防止用切断線５を形成してある。
通い函１０は、函本体１２と、函本体１２に開閉可能に取り付ける蓋１３と、を有し、函本体１２および蓋１３の合わせ目１４（封止線）にまたがるように封止用シール１１を貼り付けてある。
【０００６】
こうした構成の通い函１０および封止用シール１１において、通い函１０を開くには、先に封止用シール１１を剥すか、あるいは合わせ目１４（封止線）ないしその付近で封止用シール１１を断裂する必要がある。
何れの場合でも、不正貼替え防止用切断線５あるいは合わせ目１４の部分で封止用シール１１は破れて原形をとどめないため、開封した事実が判明し、通い函１０内に収容した食材への異物混入などの犯罪を未然に防止可能である。
【０００７】
しかしながら、封止用シール１１を貼り付ける被着体としての通い函１０のように、これを繰り返して利用する場合、通常は合わせ目１４の部分で破られた封止用シール１１をきれいに除去してから再利用する必要があるが、通い函１０の表面に残った封止用シール１１の破片をきれいに剥すには手間がかかるという問題がある。
【０００８】
なお、ソフトウェアや薬品などの包装箱の封止用シールとして、これを剥すと「開封済み」などの文字が包装箱の表面に残存するシールが使用されている。
また、粘着剤がシール基材から分離して包装箱を着色するシールもある。
これらのシールは、開封した痕跡が何らかの形で残るが、包装箱に残った付着物が美観を損ねてしまうこと、さらに、付着物の除去が困難であることなどの諸問題がある。
【０００９】
【発明が解決しようとする課題】
本発明は以上のような諸問題にかんがみなされたもので、不正に剥した場合には、その痕跡が残るとともに、封止用シールとしての役割を終えたのちには、きれいにこれを剥すことができる封止用シール、これを用いた封止方法、および封止用シールで封止した容器を提供することを課題とする。
【００１０】
また本発明は、その一部（分割用切断線）を断裂しない限りは、きれいに剥すことが困難な封止用シール、これを用いた封止方法、および封止用シールで封止した容器を提供することを課題とする。
【００１１】
また本発明は、不正な開封者がそのまま剥そうとする場合には、不正開封防止用切断線をきっかけに破れてしまうようになっているとともに、正規の使用者が剥す場合には、きれいに剥すことができる封止用シール、これを用いた封止方法、および封止用シールで封止した容器を提供することを課題とする。
【００１２】
【課題を解決するための手段】
すなわち本発明は、シール基材を少なくとも第１の分割領域および第２の分割領域に分割可能な分割用切断線を形成すること、この分割用切断線の反対側にそれぞれ不正開封防止用切断線を形成することに着目したもので、第一の発明は、シール基材と、このシール基材の裏面に形成した粘着剤層と、を有する封止用シールであって、上記シール基材を少なくとも第１の分割領域および第２の分割領域に分割可能な分割用切断線と、これら第１の分割領域および第２の分割領域において、不正開封方向には上記シール基材を破くようにするとともに、適正開封方向には上記シール基材を破かないようにする不正開封防止用切断線と、を形成したことを特徴とする封止用シールである。
【００１３】
第二の発明は、シール基材と、このシール基材の裏面に形成した粘着剤層と、を有する封止用シールであって、上記シール基材を少なくとも第１の分割領域および第２の分割領域に分割可能な分割用切断線と、これら第１の分割領域および第２の分割領域において、この分割用切断線からそれぞれの側端部に向かってその間の間隔が漸減して互いに交わるように形成した少なくとも一対の切込み線から構成した不正開封防止用切断線と、を形成したことを特徴とする封止用シールである。
【００１４】
上記分割用切断線は、上記第１の分割領域および上記第２の分割領域を同等の大きさに分割可能であることができる。
【００１５】
上記分割用切断線を、封止対象物の封止線に沿って位置させ貼り付けるようにしてあることができる。
【００１６】
第三の発明は、シール基材と、このシール基材の裏面に形成した粘着剤層と、を有する封止用シールを用いた封止方法であって、上記シール基材を少なくとも第１の分割領域および第２の分割領域に分割可能な分割用切断線と、これら第１の分割領域および第２の分割領域において、不正開封方向には上記シール基材を破くようにするとともに、適正開封方向には上記シール基材を破かないようにする不正開封防止用切断線と、を形成し、上記分割用切断線を、封止対象物の封止線に沿って位置させて貼り付けるようにすることを特徴とする封止用シールを用いた封止方法である。
【００１７】
第四の発明は、シール基材と、このシール基材の裏面に形成した粘着剤層と、を有する封止用シールを用いた封止方法であって、上記シール基材を少なくとも第１の分割領域および第２の分割領域に分割可能な分割用切断線と、これら第１の分割領域および第２の分割領域において、この分割用切断線からそれぞれの側端部に向かってその間の間隔が漸減して互いに交わるように形成した少なくとも一対の切込み線から構成した不正開封防止用切断線と、を形成し、上記分割用切断線を、封止対象物の封止線に沿って位置させて貼り付けるようにすることを特徴とする封止用シールを用いた封止方法である。
【００１８】
上記分割用切断線は、上記封止対象物の上記封止線に沿ってこれを切断することにより、上記シール基材を上記第１の分割領域および上記第２の分割領域に分割可能であることができる。
【００１９】
第五の発明は、シール基材と、このシール基材の裏面に形成した粘着剤層と、を有する封止用シールで封止した容器であって、上記シール基材を少なくとも第１の分割領域および第２の分割領域に分割可能な分割用切断線と、これら第１の分割領域および第２の分割領域において、不正開封方向には上記シール基材を破くようにするとともに、適正開封方向には上記シール基材を破かないようにする不正開封防止用切断線と、を形成し、上記分割用切断線を、当該容器の封止線に沿って位置させて貼り付けたことを特徴とする封止用シールで封止した容器である。
【００２０】
第六の発明は、シール基材と、このシール基材の裏面に形成した粘着剤層と、を有する封止用シールで封止した容器であって、上記シール基材を少なくとも第１の分割領域および第２の分割領域に分割可能な分割用切断線と、これら第１の分割領域および第２の分割領域において、この分割用切断線からそれぞれの側端部に向かってその間の間隔が漸減して互いに交わるように形成した少なくとも一対の切込み線から構成した不正開封防止用切断線と、を形成し、上記分割用切断線を、当該容器の封止線に沿って位置させて貼り付けたことを特徴とする封止用シールで封止した容器である。
【００２１】
上記第１の分割領域および上記第２の分割領域は、その幅より長さの方が長いようにすることができる。
【００２２】
上記第１の分割領域および上記第２の分割領域は、その幅より長さの方が短いようにすることができる。
【００２３】
上記不正開封防止用切断線は、これを直線から構成することができる。
【００２４】
上記不正開封防止用切断線は、これを曲線から構成することができる。
【００２５】
上記不正開封防止用切断線は、これを複数本形成することができる。
【００２６】
上記不正開封防止用切断線に加えて、不正開封防止用の補助切断線を形成することができる。
【００２７】
本発明による封止用シール、これを用いた封止方法、および封止用シールで封止した容器においては、シール基材を少なくとも第１の分割領域および第２の分割領域に分割可能な分割用切断線を形成するとともに、この分割用切断線の反対側にそれぞれ不正開封防止用切断線を形成し、不正開封行為の際に不正開封方向にはシール基材が破けて不正行為の痕跡が残るとともに、正常に封止用シールとしての機能を終えたのちは、分割用切断線に沿ってシール基材を分割し、適正開封方向すなわち、この分割用切断線から側端部側に向かって剥してゆけば、不正開封防止用切断線が破れることなく、きれいに全体を剥し取ることができ、再利用の際の美観を損なうことがない。
要するに、適正剥離すなわち適正開封行為を行う場合には、不正開封防止用切断線が有効には作用せず、不正剥離すなわち不正開封行為を行う場合には、不正開封防止用切断線が有効に作用することになる。
【００２８】
とくに第一の発明によれば、分割用切断線および不正開封防止用切断線という単純な切断線を形成し、この不正開封防止用切断線が不正開封方向にはシール基材を破くようにするとともに、適正開封方向にはシール基材を破かないようにしたので、不正開封行為および適正開封行為に分けて不正開封防止用切断線を使い分けることができる。
【００２９】
とくに第二の発明によれば、分割用切断線からそれぞれの側端部に向かってその間の間隔が漸減して互いに交わるように形成した少なくとも一対の切込み線から不正開封防止用切断線を構成したので、適正開封行為を行う場合には、不正開封防止用切断線が有効には作用せず、不正開封行為を行う場合には、不正開封防止用切断線が有効に作用することになる。
【００３０】
とくに第三の発明によれば、第一の発明と同様に、不正開封行為および適正開封行為に分けて不正開封防止用切断線を使い分けることができるとともに、分割用切断線を、たとえば容器に限らずドアや窓その他の封止対象物の封止線に沿って位置させて貼り付けるようにすることができるので、封止作業およびその解除作業を容易かつきれいに行うことができる。
【００３１】
とくに第四の発明によれば、第二の発明と同様に、適正開封行為を行う場合には、不正開封防止用切断線が有効には作用せず、不正開封行為を行う場合には、不正開封防止用切断線が有効に作用することになるとともに、第三の発明と同様に、任意の被着体に封止用シールを貼り付けて、封止作業およびその解除作業を容易かつきれいに行うことができる。
【００３２】
とくに第五の発明によれば、第一および第三の発明と同様に、分割用切断線を、通い函その他の容器の封止線に沿って位置させ貼り付けたので、当該容器として再利用する際にも封止用シールをきれいに完全に剥しておくことができる。
【００３３】
とくに第六の発明によれば、第二および第四の発明と同様に、不正開封防止用切断線の有効機能方向を選択可能であって、第五の発明と同様に、当該容器として再利用する際にも封止用シールをきれいに完全に剥しておくことができる。
【００３４】
【発明の実施の形態】
つぎに本発明の第１の実施の形態による封止用シール２０、これを用いた封止方法、およびこの封止用シール２０で封止した容器を図１ないし図５にもとづき説明する。ただし、図１０ないし図１２と同様の部分には同一符号を付し、その詳述はこれを省略する。
図１は、封止用シール２０をロール状に巻き、これを帯状に繰り出している状態を示す斜視図、図２は、図１のＩＩ−ＩＩ線断面図であって、封止用シール２０は、たとえば台紙なしシールとしてこれを構成してある。
【００３５】
封止用シール２０は、とくに図２に示すように、前記シール基材２と、このシール基材２の裏面に形成した前記粘着剤層３と、シール基材２の表面に任意の内容をあらかじめ印刷するための印刷層２１と、印刷層２１の上層に形成した剥離剤層２２と、を有し、ミシン目などによるシール切取り線２３により単葉の封止用シール２０として利用可能とする。
【００３６】
さらに封止用シール２０は、その中央部の幅方向に位置するミシン目などによる分割用切断線２４と、Ｖ字状の一対の不正開封防止用切断線２５と、を形成している。
分離用切断線２４は、封止対象物の封止線（たとえば通い函１０の合わせ目１４（封止線）、図１２）に沿って位置させるもので、シール基材２を少なくとも第１の分割領域２６および第２の分割領域２７に容易に分割することができるような切断線である。
分離用切断線２４は、第１の分割領域２６および第２の分割領域２７を同等の大きさに分割することが一般的であるが、第１の分割領域２６および第２の分割領域２７を任意の比率の大きさないし形状にこれを分割可能である。
また、図示の例では、第１の分割領域２６および第２の分割領域２７は、その幅Ｗより長さＬの方が長い。
なお分離用切断線２４は、シール切取り線２３と間違わないように、シール切取り線２３とは異なるミシン目によりこれを形成するか、シール切取り線２３の方を切り取りやすくするか、などの構成を採用することができる。
【００３７】
不正開封防止用切断線２５は、上記第１の分割領域２６および第２の分割領域２７において、分割用切断線２４からそれぞれの側端部（シール切取り線２３による側端部）に向かってその間の間隔が漸減して交点（外側端部２５Ｃ、後述）で互いに交わるように形成した少なくとも一対の直線状の切込み線２５Ａから構成している。
切込み線２５Ａは、その内側端部２５Ｂ（分離用切断線２４側の端部）が分離用切断線２４には達せず、切込み線２５Ａどうしが交わるその交点すなわち外側端部２５Ｃ（シール切取り線２３側の端部）はシール切取り線２３には至らないことが好ましい。要するに、不正開封防止用切断線２５は、外側端部２５Ｃを起点として分離用切断線２４方向に向かって広がってゆく形状（たとえばＶ字形状）としてある。
【００３８】
印刷層２１には、たとえば「封」その他任意の情報を印刷可能である。この印刷は、分離用切断線２４あるいはシール切取り線２３の形成位置とは無関係にこれを設けることができる。
【００３９】
なお、本発明による封止用シール２０としては、台紙なしシールとしての形態のみならず、任意の積層構造を採用可能である。
たとえば、図３は、台紙付きの封止用シール３０の断面図であって、封止用シール３０の封止用シール２０自体は、シール切取り線２３、分離用切断線２４および不正開封防止用切断線２５などについては、図１のものと同一であるが、台紙３１の表面に形成した剥離剤層３２にシール基材２の粘着剤層３を仮着した構成である。
ただし、台紙なしシールの形態を採用すれば、台紙をゴミとして捨てることなく、資源を有効活用することができる。
【００４０】
なお、シール基材２は、たとえば、フィルム、紙、これらの積層体や複合材を使用することができる。サーマル紙を用いて、印刷層２１に数字やバーコードなどの可変情報を印字することもできる。
【００４１】
粘着剤層３の粘着剤は、たとえば、ホットメルト系、エマルジョン系、ソルベント系、あるいは紫外線硬化型のものなどを用途に合わせて使用可能である。
粘着特性としては、通い函１０など被着体の種類に応じてこれを選択するが、強粘、超強粘、冷凍糊と呼ばれる粘着力が強いもの（５００ｇｆ／２５ｍｍ以上、好ましくは８００ｇｆ／２５ｍｍ以上）であることが望ましい。
剥離剤層２２の剥離剤は、たとえば、熱硬化型、紫外線硬化型、あるいは電子線硬化型のものを使用することができる。その種類や剥離能力は粘着剤に合わせて適宜選択する。
【００４２】
こうした構成の封止用シール２０（あるいは封止用シール３０、以下、封止用シール２０として説明する）の使用方法（封止方法）について図４および図５にもとづき説明する。
図４は、封止用シール２０を通い函１０に貼り付けて封止した状態の斜視図であって、シール切取り線２３で切断して単葉とした封止用シール２０を通い函１０の函本体１２と蓋１３との間の合わせ目１４（封止線）に沿ってこれに一致するように貼り付ける。
【００４３】
図５は、通い函１０を開封する場合の工程を説明する封止用シール２０部分の平面図であって、図５（１）に示す状態の分離用切断線２４に指の爪その他の器具で、合わせ目１４に沿って力を作用すれば、図５（２）に示すように分離用切断線２４を容易に切断することができるとともに、封止用シール２０を第１の分割領域２６および第２の分割領域２７のふたつの領域に分割することになる。
【００４４】
図５（３）に示すように、第１の分割領域２６および第２の分割領域２７のいずれの領域においても、分離用切断線２４側から不正開封防止用切断線２５の外側端部２５Ｃないし封止用シール２０の側端部側に向かって（すなわち、適正開封方向Ｎに）、封止用シール２０（第１の分割領域２６および第２の分割領域２７）を剥離してゆく。
この剥離操作において、不正開封防止用切断線２５の切込み線２５Ａにおける内側端部２５Ｂから外側端部２５Ｃがテーパー状になっているので、不正開封防止用切断線２５によってシール基材２（第１の分割領域２６および第２の分割領域２７）の本体から分割形成されているＶ字状領域２５Ｄを封止用シール２０（シール基材２）の表面から突出ないし分離させる力が作用せず、不正開封防止用切断線２５の部分から破れることなく第１の分割領域２６および第２の分割領域２７を通い函１０の表面（函本体１２、蓋１３）からきれいに剥すことができる。
【００４５】
しかしながら、図５（４）に示すように、分離用切断線２４を切断することなく、不正開封の目的で、封止用シール２０（第１の分割領域２６あるいは第２の分割領域２７）の側端部側（外側端部２５Ｃ側）をつまんでこの部分から不正開封方向Ｍに剥そうとすると、不正開封防止用切断線２５の外側端部２５Ｃの部分から封止用シール２０の本体が分離し、Ｖ字状領域２５Ｄが通い函１０の表面に貼り付いたままで、この外側端部２５Ｃの部分をきっかけとして封止用シール２０が破れてゆき、破れた封止用シール２０はもとには戻らないため、不正に開封した痕跡が残ることになる。また、第１の分割領域２６および第２の分割領域２７は、その幅Ｗより長さＬの方が長いので、不正開封者が封止用シール２０を破かずに剥すための長さが長いことになり、不正開封行為をさらに有効に防止可能である。
また、分離用切断線２４を切断することなく、分離用切断線２４の部分から第１の分割領域２６あるいは第２の分割領域２７を剥し始めようとしても、分離用切断線２４が裂けて、同じく開封した事実が判明する。
不正開封者が分離用切断線２４を切断したのち、第１の分割領域２６あるいは第２の分割領域２７を剥せば、分離用切断線２４が破れているので、同じく開封した事実が判明する。
【００４６】
本発明においては、不正開封防止用切断線２５以外にも任意の不正開封防止用切断線を形成しておくことができる。
たとえば、図６は、本発明の第２の実施の形態による封止用シール４０の平面図であって、封止用シール４０においては、不正開封防止用切断線２５に加えて第１の分割領域２６および第２の分割領域２７における外側端部２５Ｃに近いその隅部から中央部ないしは不正開封防止用切断線２５に向かう斜め方向の補助切断線４１（不正開封防止用切断線）を形成してある。
【００４７】
こうした構成の封止用シール４０においても、分離用切断線２４側から第１の分割領域２６および第２の分割領域２７を剥す際には、不正開封防止用切断線２５あるいは補助切断線４１部分から破れることがない。
一方、分離用切断線２４を切断することなく、いきなり封止用シール４０を剥そうとすると、不正開封防止用切断線２５あるいは補助切断線４１の部分から破れたり、ねじれたり、あるいはちぎれるため、開封を試みた痕跡が残る。
【００４８】
本発明においては、その不正開封防止用切断線を任意の複数本だけ形成することができる。
たとえば、図７は、本発明の第３の実施の形態による封止用シール５０の平面図であって、封止用シール５０においては、第１の分割領域２６および第２の分割領域２７にそれぞれふたつの不正開封防止用切断線２５を形成し、不正貼り替えないし不正開封を防止しやすくしている。
【００４９】
こうした構成の封止用シール５０においても、不正開封防止用切断線２５の数が多いので、不正を行おうとする者への心理的な抑制効果があるとともに、実際に剥そうとしても破れてしまう可能性が非常に高い。一方、分離用切断線２４を切断してから剥す正規の剥し操作の場合には、不正開封防止用切断線２５の部分から破れることなくきれいに封止用シール５０を剥し取ることができる。
【００５０】
さらに本発明においては、不正開封防止用切断線を曲線から構成することができる。
たとえば、図８は、本発明の第４の実施の形態による封止用シール６０の平面図であって、封止用シール６０においては、第１の分割領域２６および第２の分割領域２７にそれぞれＵ字状の不正開封防止用切断線６１を形成している。
この不正開封防止用切断線６１は、不正開封防止用切断線２５と同様に、分離用切断線２４からその側端部に向かう方向に漸次幅がせまくなる形状を呈しており、不正開封防止用切断線２５と同様の、剥す方向（不正開封方向Ｍあるいは適正開封方向Ｎ、図５を参照）に依存する破けやすさおよび破けにくさを確保している。ただし、不正開封防止用切断線６１の場合には、不正開封防止用切断線２５とは異なって、鋭角的な外側端部２５Ｃがないので、不正開封防止用切断線６１を形成するための刃型の製造が容易である。
【００５１】
さらに本発明においては、通い函１０のみならず、任意の開放ないし開封形態を有するものの封止およびその不正開封防止に適用可能であって、第１の分割領域２６および第２の分割領域２７について、その幅Ｗより長さＬの方を短くすることもできる。
たとえば、図９は、本発明の第５の実施の形態による封止用シール７０の平面図であって、封止用シール７０においては、第１の分割領域２６に対応する第１の分割領域７１、および第２の分割領域２７に対応する第２の分割領域７２に分離用切断線２４により分割可能であり、それぞれにＶ字状の不正開封防止用切断線２５の複数本を形成している。
【００５２】
こうした構成の封止用シール７０においては、とくに通い函１０その他の封止対象物の合わせ目１４（封止線）が長い場合に好適であり、通い函１０に限らず、任意の容易、あるいは開閉ドアなどに本発明を適用可能である。
【００５３】
【発明の効果】
以上のように本発明によれば、分離用切断線の左右に第１の分割領域および第２の分割領域を形成可能とし、この第１の分割領域および第２の分割領域に不正開封防止用切断線などを形成したので、すなわち、シールの剥しやすさに方向性を持たせたので、通い函その他の封止対象物について不正な開封を始める位置がシールの両端部（側端部）に限られ、不正開封を的確に防止することができるとともに、正規に開封した場合にはきれいに封止用シールを剥し取ることができる。
【図面の簡単な説明】
【図１】本発明の第１の実施の形態による封止用シール２０をロール状に巻き、これを帯状に繰り出している状態を示す斜視図である。
【図２】図１のＩＩ−ＩＩ線断面図である。
【図３】同、台紙付きの封止用シール３０の断面図である。
【図４】同、封止用シール２０を通い函１０に貼り付けて封止した状態の斜視図である。
【図５】同、通い函１０を開封する場合の工程を説明する封止用シール２０部分の平面図である。
【図６】本発明の第２の実施の形態による封止用シール４０の平面図である。
【図７】本発明の第３の実施の形態による封止用シール５０の平面図である。
【図８】本発明の第４の実施の形態による封止用シール６０の平面図である。
【図９】本発明の第５の実施の形態による封止用シール７０の平面図である。
【図１０】従来からの不正貼替え防止用シール１の平面図である。
【図１１】同、剥し時の斜視図である。
【図１２】同、食材の宅配サービスに用いる通い函１０に封止用シール１１を使用した場合の斜視図である。
【符号の説明】
１　不正貼替え防止用シール（図１０）
２　シール基材
３　粘着剤層
４　広告文字
５　不正貼替え防止用切断線
１０　通い函（図１２、図４、容器）
１１　封止用シール（図１２）
１２　函本体
１３　蓋
１４　函本体１２と蓋１３との合わせ目（封止対象物の封止線）
２０　封止用シール（第１の実施の形態、図１）
２１　印刷層
２２　剥離剤層
２３　シール切取り線
２４　分離用切断線
２５　Ｖ字状の不正開封防止用切断線
２５Ａ　不正開封防止用切断線２５の直線状の切込み線
２５Ｂ　切込み線２５Ａの内側端部（分離用切断線２４側の端部）
２５Ｃ　切込み線２５Ａの外側端部（シール切取り線２３側の端部）（交点）
２５Ｄ　不正開封防止用切断線２５によるＶ字状領域（図５）
２６　第１の分割領域
２７　第２の分割領域
３０　台紙付きの封止用シール（図３）
３１　台紙
３２　台紙３１の剥離剤層
４０　封止用シール（第２の実施の形態、図６）
４１　補助切断線（不正開封防止用切断線）
５０　封止用シール（第３の実施の形態、図７）
６０　封止用シール（第４の実施の形態、図８）
６１　Ｕ字状の不正開封防止用切断線
７０　封止用シール（第５の実施の形態、図９）
７１　第１の分割領域
７２　第２の分割領域
Ｍ　　不正開封方向（図５）
Ｎ　　適正開封方向（図５）
【図１】
2004085614.tif 000003
【図２】
2004085614.tif 000004
【図３】
2004085614.tif 000005
【図４】
2004085614.tif 000006
【図５】
2004085614.tif 000007
【図６】
2004085614.tif 000008
【図７】
2004085614.tif 000009
【図８】
2004085614.tif 000010
【図９】
2004085614.tif 000011
【図１０】
2004085614.tif 000012
【図１１】
2004085614.tif 000013
【図１２】
2004085614.tif 000014